(57)【要約】セルラネットワークが干渉の変化する条件に応じて無線リンクを動的に適応させることができる方法および方策。特に、本方法はＵＭＴＳ−ＴＤＤシステムにおいてアップリンクタイムスロットに適用する。好ましい実施形態においては、ＵＥがアップリンクタイムスロットにおいて２つのＣＣＴｒＣＨを有する場合に動的リンク適応を実行するステップが記載されている。本発明の方法および方策はＵＭＴＳ−ＦＤＤ、ＣＤＭＡ−２０００、および他のシステムに同様に適用可能である。
2006502664.tif 000002
【特許請求の範囲】
【請求項１】
アップリンクタイムスロット上において２つの符号化複合転送チャネル（ＣＣＴｒＣＨ）を有するユーザ装置（ＵＥ）によってセルラシステムにおいて使用される動的リンク適応技法であって、
前記ＣＣＴｒＣＨに対して転送フォーマット結合（ＴＦＣ）対を使用して送信電力を推定するステップと、
２つのＣＣＴｒＣＨに対する総推定送信電力を所与のしきい値と比較するステップと、
前記総推定電力が前記しきい値よりも小さい場合、両方のＴＦＣの使用を可能にするステップと、
を備えることを特徴とする技法。
【請求項２】
各ＴＦＣの電力を前記しきい値と比較するステップと、
前記ＴＦＣの各々が前記しきい値よりも多い電力を必要とする場合、両方のＴＦＣをブロックするステップと、
をさらに備えることを特徴とする請求項１に記載の技法。
【請求項３】
各ＴＦＣの電力を前記しきい値と比較するステップと、
その推定電力が前記しきい値よりも大きいＴＦＣをブロックするステップと、
をさらに備えることを特徴とする請求項１に記載の技法。
【請求項４】
１つのＴＦＣがブロックされることを媒体アクセス制御（ＭＡＣ）に報告するステップと、
前記ＭＡＣが、その推定電力が前記しきい値よりも小さい前記ＴＦＣに関連付けられたコーデックに、適用可能な場合にデータ転送速度を下げるよう通知するステップと、
をさらに備えることを特徴とする請求項３に記載の技法。
【請求項５】
各ＴＦＣの前記推定電力を前記しきい値と比較するステップと、
前記ＴＦＣの各々が前記しきい値よりも小さい場合、前記ＣＣＴｒＣＨが同じトラフィッククラスであるかどうかを判定するステップと、
そのＣＣｔｒＣＨが非リアルタイムＣＣＴｒＣＨである前記ＴＦＣをブロックするステップと、
をさらに備えることを特徴とする請求項１に記載の技法。
【請求項６】
１つのＴＦＣがブロックされることを媒体アクセス制御（ＭＡＣ）に報告するステップと、
前記ＭＡＣが、その推定電力が前記しきい値よりも小さい前記ＴＦＣに関連付けられたコーデックに、適用可能な場合にデータ転送速度を下げるよう通知するステップと、
をさらに備えることを特徴とする請求項５に記載の技法。
【請求項７】
各ＴＦＣの前記推定電力を前記しきい値と比較するステップと、
前記ＴＦＣの各々が前記しきい値よりも小さい場合、前記ＣＣＴｒＣＨが同じトラフィッククラスであるかどうかを判定するステップと、
所与の基準に基づいてブロックすべきＴＦＣを選択するステップと、
をさらに備えることを特徴とする請求項１に記載の技法。
【請求項８】
１つのＴＦＣがブロックされることを媒体アクセス制御（ＭＡＣ）に報告するステップと、
前記ＭＡＣが、その推定電力が前記しきい値よりも小さい前記ＴＦＣに関連付けられたコーデックに、適用可能な場合にデータ転送速度を下げるよう通知するステップと、
をさらに備えることを特徴とする請求項７に記載の技法。
【請求項９】
所与の基準に基づいてブロックすべきＴＲＣを選択する前記ステップは、
より高い送信電力を必要とした前記ＣＣＴｒＣＨの前記ＴＦＣをブロックするステップ
を含むことを特徴とする請求項７に記載の技法。
【請求項１０】
１つのＴＦＣがブロックされることを媒体アクセス制御（ＭＡＣ）に報告するステップと、
前記ＭＡＣが、その推定電力が前記しきい値よりも小さい前記ＴＦＣに関連付けられたコーデックに、適用可能な場合にデータ転送速度を下げるよう通知するステップと、
をさらに備えることを特徴とする請求項９に記載の技法。
【請求項１１】
所与の基準に基づいてブロックすべきＴＲＣを選択する前記ステップは、
より低い送信電力を必要とした前記ＣＣＴｒＣＨの前記ＴＦＣをブロックするステップ
を含むことを特徴とする請求項７に記載の技法。
【請求項１２】
１つのＴＦＣがブロックされることを媒体アクセス制御（ＭＡＣ）に報告するステップと、
前記ＭＡＣが、その推定電力が前記しきい値よりも小さい前記ＴＦＣに関連付けられたコーデックに、適用可能な場合にデータ転送速度を下げるよう通知するステップと、
をさらに備えることを特徴とする請求項１１に記載の技法。
【請求項１３】
所与の基準に基づいてブロックすべきＴＦＣを選択する前記ステップは、
ブロックされた場合に前記対応するＣＣＴｒＣＨにおける最小の転送速度低下を引き起こすＴＦＣをブロックするステップを含むことを特徴とする請求項７に記載の技法。
【請求項１４】
１つのＴＦＣがブロックされることを媒体アクセス制御（ＭＡＣ）に報告するステップと、
前記ＭＡＣが、その推定電力が前記しきい値よりも小さい前記ＴＦＣに関連付けられたコーデックに、適用可能な場合にデータ転送速度を下げるよう通知するステップと、
をさらに備えることを特徴とする請求項１３に記載の技法。
【請求項１５】
所与の基準に基づいてブロックすべきＴＦＣを選択する前記ステップは、
高優先度データのより低いスループットを生じさせるＴＦＣをブロックするステップ
を含むことを特徴とする請求項７に記載の技法。
【請求項１６】
１つのＴＦＣがブロックされることを媒体アクセス制御（ＭＡＣ）に報告するステップと、
前記ＭＡＣが、その推定電力が前記しきい値よりも小さい前記ＴＦＣに関連付けられたコーデックに、適用可能な場合にデータ転送速度を下げるよう通知するステップと、
をさらに備えることを特徴とする請求項１５に記載の技法。
【請求項１７】
アップリンクタイムスロット上において２つの符号化複合転送チャネル（ＣＣＴｒＣＨ）を有するユーザ装置（ＵＥ）によってセルラシステムにおいて使用される動的リンク適応装置であって、
前記ＣＣＴｒＣＨに対して転送フォーマット結合（ＴＦＣ）対を使用して送信電力を推定する手段と、
２つのＣＣＴｒＣＨに対する総推定送信電力を所与のしきい値と比較する手段と、
前記総推定電力が前記しきい値よりも小さい場合、両方のＴＦＣの使用を可能にする手段と、
を備えることを特徴とする装置。
【請求項１８】
各ＴＦＣの電力を前記しきい値と比較する手段と、
前記ＴＦＣの各々が前記しきい値よりも大きい電力を必要とする場合、両方のＴＦＣをブロックする手段と、
をさらに備えることを特徴とする請求項１７に記載の装置。
【請求項１９】
各ＴＦＣの電力を前記しきい値と比較する手段と、
その推定電力が前記しきい値よりも大きいＴＦＣをブロックする手段と、
をさらに備えることを特徴とする請求項１７に記載の装置。
【請求項２０】
１つのＴＦＣがブロックされることを媒体アクセス制御（ＭＡＣ）に報告する手段と、
前記ＭＡＣが、その推定電力が前記しきい値よりも小さい前記ＴＦＣに関連付けられたコーデックに、適用可能な場合にデータ転送速度を下げるよう通知する手段と、
をさらに備えることを特徴とする請求項１９に記載の装置。
【請求項２１】
各ＴＦＣの前記推定電力を前記しきい値と比較する手段と、
前記ＴＦＣの各々が前記しきい値よりも小さい場合、前記ＣＣＴｒＣＨが同じトラフィッククラスであるかどうかを判定する手段と、
そのＣＣＴｒＣＨが非リアルタイムＣＣＴｒＣＨである前記ＴＦＣをブロックする手段と、
をさらに備えることを特徴とする請求項１７に記載の装置。
【請求項２２】
１つのＴＦＣがブロックされることを媒体アクセス制御（ＭＡＣ）に報告する手段と、
前記ＭＡＣが、その推定電力が前記しきい値よりも小さい前記ＴＦＣに関連付けられたコーデックに、適用可能な場合にデータ転送速度を下げるよう通知する手段と、
をさらに備えることを特徴とする請求項２１に記載の装置。
【請求項２３】
各ＴＦＣの前記推定電力を前記しきい値と比較する手段と、
前記ＴＦＣの各々が前記しきい値よりも小さい場合、前記ＣＣＴｒＣＨが同じトラフィッククラスであるかどうかを判定する手段と、
所与の基準に基づいてブロックすべきＴＦＣを選択する手段と、
をさらに備えることを特徴とする請求項１７に記載の装置。
【請求項２４】
１つのＴＦＣがブロックされることを媒体アクセス制御（ＭＡＣ）に報告する手段と、
前記ＭＡＣが、その推定電力が前記しきい値よりも小さい前記ＴＦＣに関連付けられたコーデックに、適用可能な場合にデータ転送速度を下げるよう通知する手段と、
をさらに備えることを特徴とする請求項２３に記載の技法。
【請求項２５】
所与の基準に基づいてブロックすべきＴＦＣを選択する前記手段は、
より高い送信電力を必要とした前記ＣＣＴｒＣＨの前記ＴＦＣをブロックする手段を含むことを特徴とする請求項２３に記載の装置。
【請求項２６】
１つのＴＦＣがブロックされることを媒体アクセス制御（ＭＡＣ）に報告する手段と、
前記ＭＡＣが、その推定電力が前記しきい値よりも小さい前記ＴＦＣに関連付けられたコーデックに、適用可能な場合にデータ転送速度を下げるよう通知する手段と、
をさらに備えることを特徴とする請求項２５に記載の装置。
【請求項２７】
所与の基準に基づいてブロックすべきＴＦＣを選択する前記手段は、
より低い送信電力を必要とした前記ＣＣＴｒＣＨの前記ＴＦＣをブロックする手段を含むことを特徴とする請求項２３に記載の装置。
【請求項２８】
１つのＴＦＣがブロックされることを媒体アクセス制御（ＭＡＣ）に報告する手段と、
前記ＭＡＣが、その推定電力が前記しきい値よりも小さい前記ＴＦＣに関連付けられたコーデックに、適用可能な場合にデータ転送速度を下げるよう通知する手段と、
をさらに備えることを特徴とする請求項２７に記載の装置。
【請求項２９】
所与の基準に基づいてブロックすべきＴＦＣを選択する前記手段は、
ブロックされた場合に前記対応するＣＣＴｒＣＨにおける最小の転送速度低下を引き起こす前記ＴＦＣをブロックする手段を含むことを特徴とする請求項２３に記載の装置。
【請求項３０】
１つのＴＦＣがブロックされることを媒体アクセス制御（ＭＡＣ）に報告する手段と、
前記ＭＡＣが、その推定電力が前記しきい値よりも小さい前記ＴＦＣに関連付けられたコーデックに、適用可能な場合にデータ転送速度を下げるよう通知する手段と、
をさらに備えることを特徴とする請求項２９に記載の装置。
【請求項３１】
所与の基準に基づいてブロックすべきＴＦＣを選択する前記手段は、
高優先度データのより低いスループットを生じさせるＴＦＣをブロックする手段を含むことを特徴とする請求項２３に記載の装置。
【請求項３２】
１つのＴＦＣがブロックされることを媒体アクセス制御（ＭＡＣ）に報告する手段と、
前記ＭＡＣが、その推定電力が前記しきい値よりも小さい前記ＴＦＣに関連付けられたコーデックに、適用可能な場合にデータ転送速度を下げるよう通知する手段と、
をさらに備えることを特徴とする請求項３１に記載の装置。
【発明の詳細な説明】
【技術分野】
【０００１】
本発明は、一般に転送フォーマット結合（ＴＦＣ）選択に関し、より詳細には、ユーザ装置（ＵＥ）が動的リンク適応（ＤＬＡ）を使用してＴＦＣ選択を行うことを可能にする技術に関する。
【背景技術】
【０００２】
以下の頭文字が本明細書において使用される。  
ＣＣＰＣＨ      共通制御物理チャネル
ＣＣＴｒＣＨ    符号化複合転送チャネル
ＩＳＣＰ        干渉信号符号電力
ＭＡＣ          メディアアクセス制御
ＮＲＴ          非リアルタイム
ＲＳＣＰ        受信信号符号電力
ＲＴ            リアルタイム
ＳＩＲ          信号対干渉比
ＴＤＤ          時分割複信
ＴＦＣ          転送フォーマット結合
ＴＸ            送信
ＵＥ            ユーザ装置
ＵＭＴＳ        ユニバーサルモバイル通信システム
【０００３】
ＵＭＴＳ−ＴＤＤシステムの場合、ＵＥが１つのＣＣＴｒＣＨだけを有するアップリンクタイムスロットにおいては、ＵＥ送信電力は、このＣＣＴｒＣＨのために使用されるＴＦＣによって決定されるＣＣＴｒＣＨの送信電力である。標準規格において指定されているように、ＵＥは、あるＴＦＣが最大送信機電力よりも多い電力を必要とするだろうと推定した場合、そのＴＦＣの使用を制限すべきである。ＵＥはＴＦＣ選択の目的でどのＴＦＣが使用できるかを連続的に評価する。評価は所与のＴＦＣの推定されたＵＥ送信電力を使用して実行される。ＭＡＣ−ｄは、適用可能な場合、どのＴＦＣが使用できるかに関する情報を共用することによって、コーデックにデータ転送速度を下げるよう通知する。これは動的リンク適応（ＤＬＡ）と呼ばれる。
【発明の開示】
【発明が解決しようとする課題】
【０００４】
しかしながら、ＵＥが２つのＣＣＴｒＣＨを有するアップリンクタイムスロットにおいて、ＵＥ  送信電力は２つのＣＣＴｒＣＨの送信電力の和である。すなわち、ＵＥ送信電力は２つのＣＣＴｒＣＨのＴＦＣによって共同で決定される。現在の標準化された動的リンク適応（ＤＬＡ）アルゴリズムはこのケースを取り扱うことができない。すなわちＵＥはどのＴＦＣを使用あるいはブロックすべきかを知らない。
【０００５】
ＵＥが動的リンク適応（ＤＬＡ）を使用することによって、ＴＦＣ選択に関する決定を行うことができる方法を提供するのが望ましい。
【課題を解決するための手段】
【０００６】
本発明は、セルラシステムにおいて、変動する干渉条件の存在下で動的無線リンク適応の方法を提供する。本発明は、ＵＥがアップリンクタイムスロットにおいて２つのＣＣＴｒＣＨを有する場合に、動的リンク適応を適切に実行するための解決策を提供する。本発明はまた、それによってセルラネットワークが干渉の変化に応じて無線リンクを動的に適応させることができる、詳細な好ましい実施形態、および方法およびアルゴリズムを提供する。特に、それはＵＭＴＳ−ＴＤＤシステムに適用可能である。本発明はＵＭＴＳ−ＦＤＤ、ＣＤＭＡ−２０００および他のシステムに同様に適用可能であることに留意されたい。
【０００７】
添付の図面とともに、例として与えられた好ましい実施形態に関する以下の説明から、本発明のより詳細な理解が得られる。
【発明を実施するための最良の形態】
【０００８】
ＣＤＭＡセルラシステムのための動的リンク適応のための例示的な補完アルゴリズムの実装例を以下に示す。例示的な動的リンク適応アルゴリズムは、ＵＥがアップリンクタイムスロットにおいて２つのＣＣＴｒＣＨを有することを考慮に入れ、以下を含む。すなわち、
１）第１のＣＣＴｒＣＨによって使用されるＴＦＣと第２のＣＣＴｒＣＨによって使用されるＴＦＣとの結合は、１つのタイムスロットにおいて２つのＣＣＲｒＣＨを有するＵＥのＴＦＣ対として定義される。あるＴＦＣ対が最大送信機電力よりも大きい電力を必要とするであろうとＵＥ（物理レイヤ）が推定した場合、そのＴＦＣ対の使用は制限される。  
２）以下に基づいて各ＣＣＴｒＣＨに対してどのＴＦＣが使用できるかについて決定することになる。すなわち
ａ）ＣＣＴｒＣＨのトラフィッククラス（ＲＴまたはＮＲＴ）
ｂ）ＣＣＴｒＣＨのＴＦＣに対する所要送信電力
ｃ）物理リソース割当て情報
ｄ）論理チャネルの優先度
【０００９】
以下は補完アルゴリズムの一例である。ＵＥ送信電力推定はアップリンク電力制御の結果（最後の測定期間にわたって測定されたＵＥ送信電力または更新されたＰ−ＣＣＰＣＨ  ＲＳＣＰ、ＩＳＣＰもしくはＳＩＲターゲットに基づく新しい送信電力のいずれか）および対応するＴＦＣのゲインファクタを使用して行われる。
【００１０】
ＵＥは、あるＴＦＣ対が最大送信機電力よりも大きい電力を必要とするであろうと推定した場合、ＴＦＣ対における対応するＣＣＴｒＣＨの各ＴＦＣの必要とされる送信電力を調査する。ＵＥは送信電力およびトラフィッククラスに応じてＴＦＣ対を処理する。
【００１１】
１つのＣＣＴｒＣＨのＴＦＣのみが最大送信機電力よりも大きい電力を必要としている場合、このＴＦＣはブロックされる。
【００１２】
両方のＣＣＴｒＣＨのＴＦＣが最大送信機電力よりも大きい電力を必要としている場合、両方のＴＦＣがブロックされる。
【００１３】
両方のＣＣＴｒＣＨのＴＦＣが最大送信機電力よりも少ない電力を必要としているが、これらの和が最大送信機電力よりも大きい電力を必要としている場合、ＵＥはトラフィッククラスに基づいて１つのＴＦＣをブロックすることを選択する。
【００１４】
一方のＣＣＴｒＣＨがリアルタイム（ＲＴ）であり、他方のＣＣＴｒＣＨが非リアルタイム（ＮＲＴ）である場合、ＵＥはＮＲＴ  ＣＣＴｒＣＨのＴＦＣをブロックする。
【００１５】
両方のＣＣＴｒＣＨがＲＴまたはＮＲＴである場合、ＵＥはＴＦＣまたは物理リソース割当て情報によって必要とされる送信電力に基づいて、ＴＦＣをブロックすることを選択することができる。それは設計上の選択である。設計上の選択は、以下の選択肢を含む。
【００１６】
より高い送信電力を必要とするＣＣＴｒＣＨのＴＦＣをブロックする。
【００１７】
より低い送信電力を必要とするＣＣＴｒＣＨのＴＦＣをブロックする。
【００１８】
ブロックされた場合に対応するＣＣＴｒＣＨにおける最も小さい転送速度低下をもたらすＴＦＣをブロックする。これはＣＣＴｒＣＨの物理リソース割当てを知ることによって決定される。
【００１９】
高優先度データに対してより低いスループットを生じることになるＴＦＣをブロックする。
【００２０】
ＭＡＣ−ｄは、適用可能な場合、各ＣＣＴｒＣＨに対してどのＴＦＣが使用できるかに関する情報を共用することによって、対応するＣＣＴｒＣＨのコーデックに、データ転送速度を下げるように通知する。
【００２１】
図１は、本発明のプロセスの好ましい実施形態に関する上述のステップを示している。これは、「２つのＣＣＴｒＣＨに対してＴＦＣ対を使用してＵＥ送信電力を推定する」ステップによって開始する。図示の中間のステップを経た後、アルゴリズムのプロセスは「ＭＡＣ−ｄが、適用可能な場合、データ転送速度を下げるよう対応するＣＣＴｒＣＨのコーデックに通知するステップ」で終了する。
【００２２】
以上の説明では、ＵＭＴＳ−ＴＤＤシステムを一例として参照したが、本発明はＦＤＤおよび他のシステムに同様に適用可能であることに留意されたい。本発明の方法をＵＭＴＳ−ＦＤＤ、ＣＤＭＡ−２０００および他のシステムに好適にするために必要とされる変更は本発明の範囲内にあると考えられる。
【図面の簡単な説明】
【００２３】
【図１】本発明の好ましい実施形態のプロセスステップのフロー図である。
【図１】
2006502664.tif 000003
【手続補正書】
【提出日】平成17年7月12日(2005.7.12)
【手続補正１】
【補正対象書類名】特許請求の範囲
【補正対象項目名】請求項５
【補正方法】変更
【補正の内容】
【請求項５】
各ＴＦＣの前記推定電力を前記しきい値と比較するステップと、
前記ＴＦＣの各々が前記しきい値よりも小さい場合、前記ＣＣＴｒＣＨが同じトラフィッククラスであるかどうかを判定するステップと、
そのＣＣＴｒＣＨが非リアルタイムＣＣＴｒＣＨである前記ＴＦＣをブロックするステップと、
をさらに備えることを特徴とする請求項１に記載の技法。
【手続補正２】
【補正対象書類名】特許請求の範囲
【補正対象項目名】請求項９
【補正方法】変更
【補正の内容】
【請求項９】
所与の基準に基づいてブロックすべきＴＦＣを選択する前記ステップは、
より高い送信電力を必要とした前記ＣＣＴｒＣＨの前記ＴＦＣをブロックするステップ
を含むことを特徴とする請求項７に記載の技法。
【手続補正３】
【補正対象書類名】特許請求の範囲
【補正対象項目名】請求項１１
【補正方法】変更
【補正の内容】
【請求項１１】
所与の基準に基づいてブロックすべきＴＦＣを選択する前記ステップは、
より低い送信電力を必要とした前記ＣＣＴｒＣＨの前記ＴＦＣをブロックするステップ
を含むことを特徴とする請求項７に記載の技法。
【手続補正４】
【補正対象書類名】特許請求の範囲
【補正対象項目名】請求項２４
【補正方法】変更
【補正の内容】
【請求項２４】
１つのＴＦＣがブロックされることを媒体アクセス制御（ＭＡＣ）に報告する手段と、
前記ＭＡＣが、その推定電力が前記しきい値よりも小さい前記ＴＦＣに関連付けられたコーデックに、適用可能な場合にデータ転送速度を下げるよう通知する手段と、
をさらに備えることを特徴とする請求項２３に記載の装置。
【国際調査報告】
2006502664.tif 000004